(57)【要約】【課題】  ディスク装置内部にディスクの回転で生じる空気流を効率よくディスク装置内に導入でき、光ヘッドやディスク装置内のＩＣ等を効率よく冷却でき、高熱による光ヘッドやディスク装置内のＩＣ等の劣化を防止でき、ディスクの回転速度に比例して効率的に冷却を行なえ、構造が簡単で冷却のためのコストや設置箇所について考慮しなくてもよい。【解決手段】  ディスク装置に出し入れ可能に配設されたディスクトレイ１を用いて冷却するもので、ディスクトレイ１におけるディスクＤをセットする箇所に放射状に複数の冷却用の孔部７が穿設され、ディスク装置のターンテーブル２とクランパ３とで挟持されるディスクＤの回転時に生じる空気流を、ディスクトレイ１の複数の孔部７からディスク装置の内部に導入し、ディスク装置の内部を冷却するように構成され、放射状の複数の孔部７がディスクトレイ１の中心側から外側に向けて開く略二等辺三角形状に形成されている。【選択図】  図１
2005332532.tif 000002
【特許請求の範囲】
【請求項１】
ディスク装置に出し入れ可能に配設されたディスクトレイを用いて冷却するようにしたディスク装置の冷却構造において、前記ディスクトレイにおけるディスクをセットする箇所に放射状に複数の冷却用の孔部が穿設され、ディスク装置のターンテーブルとクランパとで挟持されるディスクの回転時に生じる空気流を、前記ディスクトレイの複数の孔部からディスク装置の内部に導入し、ディスク装置の内部を冷却するように構成され、前記放射状の複数の孔部がディスクトレイの中心側から外側に向けて開く略二等辺三角形状に形成されていることを特徴とするディスク装置の冷却構造。
【請求項２】
ディスク装置に出し入れ可能に配設されたディスクトレイを用いて冷却するようにしたディスク装置の冷却構造において、前記ディスクトレイにおけるディスクをセットする箇所に放射状に複数の冷却用の孔部が穿設され、ディスク装置のターンテーブルとクランパとで挟持されるディスクの回転時に生じる空気流を、前記ディスクトレイの複数の孔部からディスク装置の内部に導入し、ディスク装置の内部を冷却するように構成されたことを特徴とするディスク装置の冷却構造。
【請求項３】
前記放射状の複数の孔部は、ディスクトレイの中心側から外側に延びる略長方形状に形成されている請求項２に記載のディスク装置の冷却構造。
【請求項４】
前記放射状の複数の孔部は、ディスクトレイの中心側から外側に延び、ディスクの回転方向とは逆方向に湾曲した略円弧状にそれぞれ形成されている請求項２に記載のディスク装置の冷却構造。
【請求項５】
前記放射状の複数の孔部は、周方向に向けてディスクの回転方向側が下側に傾斜する傾斜面を有し、ディスクの回転方向と逆側が垂直面を有するように構成されている請求孔２乃至４のいずれかに記載のディスク装置の冷却構造。
【請求項６】
前記ディスク装置内における基板が配置されている上側に、防塵用の網目材が配置されている請求項２乃至５のいずれかに記載のディスク装置の冷却構造。
【発明の詳細な説明】
【技術分野】
【０００１】
本発明は、ディスク装置に出し入れ可能に配設されたディスクトレイを用いて冷却するようにしたディスク装置の冷却構造に関するものである。
【背景技術】
【０００２】
第１の従来技術を図６（ａ）（ｂ）に示す。この従来の光ディスク装置は、図６（ａ）（ｂ）に示すように、筐体内に進退可能に収容され光ディスクを搭載するディスクトレイ１０４と、光ピックアップ１０６と、ディスクトレイに固定され且つスピンドルモータ１０５及び光ピックアップを半径方向へ進退させる移動手段を保持したメカユニット１０７と、筐体内の後部に配置され且つ発熱部品を搭載した回路基板１１２とを備え、メカユニットが筐体内に収容された時、回路基板の上方に突出するディスクトレイの後部に複数の開口部１０４ａ、１０４ｂを貫通形成し、光ディスクの回転時に発生する空気流を開口部を介して回路基板に供給して発熱部品の放熱を促進するように構成したものである。（例えば、特許文献１参照）。
【０００３】
ところが、これにおいては、開口部１０４ａ、１０４ｂが小さいので、空気流がディスクトレイの上側から下側に入り難く、充分な放熱作用が得られないという問題があった。
【０００４】
第２の従来技術を図７（ａ）（ｂ）に示す。この従来のディスク再生装置における冷却方法は、図７（ａ）（ｂ）に示すように、ディスク再生装置のトレイ２１３の外周面にスリット孔２１３ａを設け、ディスク再生装置の動作と同時に開始されるディスク２１４の回転によって発生した空気の流れをスリット孔２１３ａに誘導し、トレイ２１３内部に取付けられた発熱部品を冷却させる。さらにトレイの底面部に空気の排出孔を設け、空気の流れを円滑にする。（例えば、特許文献２参照）。
【０００５】
ところが、これにおいては、スリット孔２１３ａがトレイ２１３の外周面に設けられているために、ディスク２１４の回転によって生じる空気の流れのうち、外側の空気の流れだけ誘導して取り入れるだけで、ディスク２１４の下側に生じるおおきな空気流の流れを誘導して取り入れることができないという問題があった。
【特許文献１】特開２００３−８５９６４号公報
【特許文献２】特開平８−３３９６７８号公報
【発明の開示】
【発明が解決しようとする課題】
【０００６】
本発明は、上記従来の問題に鑑みてなされたものであって、ディスク装置内部にディスクの回転で生じる空気流を効率よくディスク装置内に導入することができて、光ヘッドや、ディスク装置内のＩＣ等を効率よく冷却することができ、高熱による光ヘッドやディスク装置内のＩＣ等の劣化を防止することができ、ディスクの回転速度に比例して効率的に冷却を行なうことができ、しかも構造が簡単で冷却のためのコストや設置箇所について考慮しなくてもよいディスク装置の冷却構造を提供することを目的としている。
【課題を解決するための手段】
【０００７】
本発明は、上記課題を解決するために提案されたものであって、請求項１に記載の発明は、ディスク装置に出し入れ可能に配設されたディスクトレイを用いて冷却するようにしたディスク装置の冷却構造において、前記ディスクトレイにおけるディスクをセットする箇所に放射状に複数の冷却用の孔部が穿設され、ディスク装置のターンテーブルとクランパとで挟持されるディスクの回転時に生じる空気流を、前記ディスクトレイの複数の孔部からディスク装置の内部に導入し、ディスク装置の内部を冷却するように構成され、前記放射状の複数の孔部がディスクトレイの中心側から外側に向けて開く略二等辺三角形状に形成されていることを特徴としている。
【０００８】
請求項２に記載の発明は、ディスク装置に出し入れ可能に配設されたディスクトレイを用いて冷却するようにしたディスク装置の冷却構造において、前記ディスクトレイにおけるディスクをセットする箇所に放射状に複数の冷却用の孔部が穿設され、ディスク装置のターンテーブルとクランパとで挟持されるディスクの回転時に生じる空気流を、前記ディスクトレイの複数の孔部からディスク装置の内部に導入し、ディスク装置の内部を冷却するように構成されたことを特徴としている。
【０００９】
請求項３に記載の発明は、前記放射状の複数の孔部は、ディスクトレイの中心側から外側に延びる略長方形状に形成されている。
【００１０】
請求項４に記載の発明は、前記放射状の複数の孔部は、ディスクトレイの中心側から外側に延び、ディスクの回転方向とは逆方向に湾曲した略円弧状にそれぞれ形成されている。
【００１１】
請求項５に記載の発明は、前記放射状の複数の孔部は、周方向に向けてディスクの回転方向側が下側に傾斜する傾斜面を有し、ディスクの回転方向と逆側が垂直面を有するように構成されている。
【００１２】
請求項６に記載の発明は、前記ディスク装置内における基板が配置されている上側に、防塵用の網目材が配置されている。
【発明の効果】
【００１３】
請求項１に記載の発明によれば、ディスクトレイの中心側から外側に向けて放射状の複数の冷却用の孔部を設けているので、ディスク装置内部にディスクの回転で生じる空気流を効率よく導入することができて、光ヘッドや、ディスク装置内のＩＣ等を効率よく冷却することができ、高熱による光ヘッドやディスク装置内のＩＣ等の劣化を防止することができ、ディスクの回転速度に比例して効率的に冷却を行なうことができ、しかも構造が簡単で冷却のためのコストや設置箇所について考慮しなくてもよい効果を奏する。更に、放射状の孔部がディスクトレイの中心側から外側に向けて開く略二等辺三角形状に形成されているので、ディスクの回転時に生じる中心側から外側に向けて流れる空気流をこの略二等辺三角形状の複数の孔部からディスク装置の内部に効率よく導入することができて、より一層冷却効果を高めることができる。
【００１４】
請求項２に記載の発明によれば、ディスクトレイの中心側から外側に向けて放射状の複数の冷却用の孔部を設けているので、ディスク装置内部にディスクの回転で生じる空気流を効率よくディスク装置内に導入することができて、光ヘッドや、ディスク装置内のＩＣ等を効率よく冷却することができ、高熱による光ヘッドやディスク装置内のＩＣ等の劣化を防止することができ、ディスクの回転速度に比例して効率的に冷却を行なうことができ、しかも構造が簡単で冷却のためのコストや設置箇所について考慮しなくてもよい効果を奏する。
【００１５】
請求項３に記載の発明によれば、放射状の複数の孔部が略長方形状に形成されているので、ディスクの回転で生じる空気流の殆どをディスク装置内に導入することができて、冷却効果を高めることができる。また、孔部が略長方形であるので、この孔部をディスクトレイに形成しやすい利点がある。
【００１６】
請求項４に記載の発明によれば、放射状の複数の孔部がディスクの回転方向とは逆方向に湾曲した略円弧状に形成されているので、ディスクの回転で生じるディスクの回転方向と逆方向に流れる空気流をこの略円弧状の孔部に導入しやすく、効率的にディスク装置の内部を冷却することができる。
【００１７】
請求項５に記載の発明によれば、ディスクの回転方向から逆方向に流れる空気流を傾斜面でディスクトレイの下側にガイドすることができ、ガイドされた空気流は垂直面に当たってディスク装置内に導入されるので、ディスクの回転で生じる空気流をより一層効率よくディスク装置内に導入して冷却効果を高めることができる。
【００１８】
請求項６に記載の発明によれば、ディスク装置内における基板の上側に網目材が配置されているので、ディスクトレイの孔部から空気流と一緒にディスク装置内に入り込んだ塵等をこの網目材で受けて基板上にこの塵等が落ちることを防ぐことができ、塵等により支障が生じることを防ぐことができる。
【発明を実施するための最良の形態】
【００１９】
以下、本発明に係るディスク装置の冷却構造について、図を参照しつつ説明する。
【００２０】
図１は本発明のディスク装置の冷却構造の第１実施形態を示す概略平面図、図２は同冷却構造の概略縦断面図である。
【００２１】
この第１実施形態のディスク装置の冷却構造は、図１、図２に示すように、装置本体（図示略）に出し入れされるディスクトレイ１にディスクＤをセットするセット部１ａが設けられ、このセット部１ａには、１２ｃｍのディスクＤをセットするための第１段差部１ｂと８ｃｍのディスクＤをセットするための第２段差部１ｃが設けられている。ディスクＤは装置本体から上下に移動するターンテーブル２と装置本体の上側に設けられたクランパ３とで挟持されて、スピンドルモータ４の回転駆動で軸部４ａを介しターンテーブル２の回転でこのディスクＤが回転されるように構成されている。
【００２２】
また、装置本体内におけるスピンドルモータ４の下側には、ＩＣ等が取り付けられた基板５が配置されている。この基板５の上側には、防塵用の網目材６が配設されている。ディスクトレイ１のセット部１ａには、中心側から外側に向けて放射状の複数の孔部７が穿設されている。これらの孔部７は、ディスクトレイ１の中心側から外側に向けて開く略二等辺三角形状に形成されている。
【００２３】
スピンドルモータ４の回転駆動でターンテーブル２が回転されると、ディスクＤが回転される。このディスクＤの回転で空気流が生じ、この空気流がディスクトレイ１に放射状に複数穿設された孔部７から装置本体内に導入され、基板５上のＩＣ（図示略）や光ヘッド（図示略）からの放熱がこの空気流で冷却されて、装置本体内が冷却されることとなる。
【００２４】
従って、この第１実施形態によれば、ディスクトレイ１の中心側から外側に向けて放射状の複数の冷却用の孔部７を設けているので、装置本体内部にディスクＤの回転で生じる空気流を効率よく導入することができて、光ヘッドや、ディスク装置内のＩＣ等を効率よく冷却することができ、高熱による光ヘッドや装置本体内のＩＣ等の劣化を防止することができ、ディスクの回転速度に比例して効率的に冷却を行なうことができる。しかも構造が簡単で冷却のためのコストや設置箇所について考慮しなくてもよい効果を奏する。
【００２５】
更に、放射状の孔部７がディスクトレイ１の中心側から外側に向けて開く略二等辺三角形状に形成されているので、ディスクＤの回転時に生じる中心側から外側に向けて流れる空気流をこの略二等辺三角形状の複数の孔部７から装置本体の内部に効率よく導入することができて、より一層冷却効果を高めることができる。また、装置本体内における基板５の上側に網目材６が配置されているので、ディスクトレイ１の孔部７から空気流と一緒に装置本体内に入り込んだ塵等をこの網目材６で受けて基板５上にこの塵等が落ちることを防ぐことができ、塵等により支障が生じることを防ぐことができる。
【００２６】
図３は第２実施形態のディスク装置の冷却構造を示す概略平面図である。尚、上記した第１実施形態と同一部材、同一箇所には同一符号を付して、その説明を省略する。
【００２７】
この第２実施形態のディスク装置の冷却構造は、図３に示すように、ディスクトレイ１に穿設される複数の孔部７Ａは、ディスクトレイ１のセット部１ａの中心側から外側に延びる略長方形状に形成されている。従って、この第２実施形態によれば、放射状の複数の孔部７Ａが略長方形状に形成されているので、ディスクＤの回転で生じる空気流の殆どを装置本体内に導入することができて、冷却効果を高めることができる。また、孔部７Ａが略長方形であるので、この孔部７Ａをディスクトレイに形成しやすい利点がある。
【００２８】
図４は第３実施形態のディスク装置の冷却構造を示す概略平面図である。尚、上記した第１実施形態と同一部材、同一箇所には同一符号を付して、その説明を省略する。
【００２９】
この第３実施形態のディスク装置の冷却構造は、図４に示すように、ディスクトレイ１に穿設される複数の孔部７Ｂは、ディスクトレイ１のセット部１ａの中心側から外側に延び、ディスクＤの回転方向とは逆方向に湾曲した略円弧状にそれぞれ形成されている。
【００３０】
従って、この第３実施形態によれば、放射状の複数の孔部７ＢがディスクＤの回転方向とは逆方向に湾曲した略円弧状に形成されているので、ディスクＤの回転で生じるディスクＤの回転方向と逆方向に流れる空気流をこの略円弧状の孔部７Ｂに導入しやすく、効率的に装置本体の内部を冷却することができる。
【００３１】
図５は第４実施形態のディスク装置の冷却構造におけるディスクトレイに設けられた放射状の孔部の一部を示し、（ａ）はその部分平面図、（ｂ）はその部分断面図である。
【００３２】
この第４実施形態のディスク装置の冷却構造は、図５（ａ）（ｂ）に示すように、放射状の複数の孔部７Ｃが、周方向に向けてディスクの回転方向側が下側に傾斜する傾斜面７ａを有し、ディスクＤの回転方向と逆側が垂直面７ｂを有するように構成されている。従って、この第４実施形態によれば、ディスクＤの回転方向から逆方向に流れる空気流を傾斜面７ａでディスクトレイ１の下側にガイドすることができ、ガイドされた空気流は垂直面７ｂに当たって装置本体内に導入されるので、ディスクＤの回転で生じる空気流をより一層効率よく装置本体内に導入して冷却効果を高めることができる。
【図面の簡単な説明】
【００３３】
【図１】本発明のディスク装置の冷却構造の第１実施形態を示す概略平面図である。
【図２】同冷却構造の概略縦断面図である。
【図３】第２実施形態のディスク装置の冷却構造を示す概略平面図である。
【図４】第３実施形態のディスク装置の冷却構造を示す概略平面図である。
【図５】第４実施形態のディスク装置の冷却構造におけるディスクトレイに設けられた放射状の孔部の一部を示し、（ａ）はその部分平面図、（ｂ）はその部分断面図である。
【図６】従来の光ディスク装置を示し、（ａ）はその断面図、（ｂ）はその部分平面図である。
【図７】従来のディスク再生装置における冷却構造を示し、（ａ）はその内部構造を示す斜視図、（ｂ）はその動作説明図である。
【符号の説明】
【００３４】
Ｄ        ディスク
１        ディスクトレイ
１ａ      セット部
１ｂ      第一段差部
１ｃ      第２段差部
２        ターンテーブル
３        クランパ
４        スピンドルモータ
４ａ      軸部
５        基板
６        網目材
７        孔部
７Ａ      孔部
７Ｂ      孔部
７Ｃ      孔部
７ａ      傾斜面
７ｂ      垂直面
【図１】
2005332532.tif 000003
【図２】
2005332532.tif 000004
【図３】
2005332532.tif 000005
【図４】
2005332532.tif 000006
【図５】
2005332532.tif 000007
【図６】
2005332532.tif 000008
【図７】
2005332532.tif 000009